(57)【要約】      （修正有）【課題】電磁弁の制御回路を簡素化すると共に機器内回路の作動部に発生する衝撃を緩和する流量切換電磁弁を提供する。【解決手段】電磁ソレノイド９において主弁用移動コア２とパイロット用移動コア５および主弁用スプリング４とパイロット用スプリング６を設けることにより、弁本体１の流入孔から流入した流体を段階的に弁本体１の流出孔へ流すことにより流出孔側の流体流量の変化と圧力変化を緩和させることで、機器作動部の衝撃を緩和する。【選択図】図２
0003151195.tif 000002
【実用新案登録請求の範囲】
【請求項１】
軸線に沿って固定コアと弁本体との間にパイロット用移動コアと主弁用移動コアを設けた電磁弁であって、該固定コアの下面に接して配置したスプリングを介して該パイロット用移動コアを該主弁用移動コアの上面に付勢し、これに伴う該パイロット用移動コアの下向き付勢力によって該主弁用移動コアを該弁本体の上面に付勢し、該パイロット用移動コアと主弁用移動コアの間に間隙を設け、該間隙は上方を流体の漏洩を防ぐリングでシールすると共に該主弁用移動コアの側面から流体を流入させる開口部と該主弁用移動コアの軸線に沿って該開口部よりも抵抗が大きい主弁用移動コアオリフィスを設け、該主弁用移動コアと該パイロット用移動コアは磁性体材料からなり、コイルの電磁作用により該パイロット用移動コアが該固定コアに吸引されることにより該間隙が拡大し空間を形成すると共に、該主弁用移動コアオリフィスの流路が開放され、該主弁用移動コアが該パイロット用移動コアに吸引され、該主弁用移動コアの弁が開放されることにより、流体が弁本体の流入孔から流出孔へ所定量流れることを特徴とする流量切換電磁弁。
【請求項２】
上記固定コアの下面に接して配置した上記スプリングを介して上記パイロット用移動コアを上記主弁用移動コアの上面に付勢し、これに伴う該パイロット用移動コアの下向き付勢力によって該主弁用移動コアを該弁本体の上面に付勢すると共に該固定コアの下面に接して配置した他のスプリングを介して該主弁用移動コアを該弁本体の上面に付勢することを特徴とする請求項１に記載の流量切換電磁弁。
【請求項３】
上記パイロット用移動コアと上記主弁用移動コアに間隙を設けて上記固定コアと上記パイロット用移動コアに比較して吸引或いは釈放動作における磁束密度或いは残留磁束の影響を減少させることを特徴とする請求項１又は２に記載の流量切換電磁弁。
【請求項４】
前記コイルに通電する電圧を段階的に変化させることで、前記パイロット用移動コアのみを軸線に沿って稼動させ、次いで前記パイロット用移動コアが前記固定コアに近接した状態で、前記空間の圧力変化に関わらず前記主弁用移動コアを軸線に沿って稼動させることで前記流入孔から前記流出孔への流体流量を変化させることができることを特徴とする請求項１乃至３のいずれかに記載の流量切換電磁弁。
【考案の詳細な説明】
【技術分野】
【０００１】
本考案は、流体を制御に利用した医療機器、理美容機器その他の機器及びその周辺機器において流体が流れる管路に取付けられる電磁弁に関するものである。
【背景技術】
【０００２】
従来、油圧回路を利用した医療機器、理美容機器やその他の流体を利用した機器に関して、その流体を制御するバルブには応答速度が速いという特徴から流路の切換弁や方向制御弁として電磁弁が広く使用されている。しかし応答速度が速いという特徴が油圧回路その他の流体制御回路の作動部への制御において、流量や圧力変化を急激に発生させるため、前記機器内油圧回路その他の流体制御回路の作動部に衝撃を発生させてしまうという問題がある。この作動部の衝撃を緩和させる目的に比例電磁弁が使用されることがある。
【考案の開示】
【考案が解決しようとする課題】
【０００３】
ここで、電磁弁とは、コイルの電磁作用により移動コアを動作させて弁本体流入孔から流入した流体を弁本体流出孔へ流出するものである。ところで、上記比例電磁弁を機器内回路に利用するためには比例電磁弁に印加する電圧を細かく制御する必要があり、比例電磁弁を制御する制御回路が複雑になるという問題がある。
【０００４】
そこで本考案の課題は、電磁弁の制御回路を簡素化すると共に機器内回路の作動部に発生する衝撃を緩和することを課題としている。
【課題を解決するための手段】
【０００５】
本考案は、軸線に沿って固定コアと弁本体との間にパイロット用移動コアと主弁用移動コアを設けた電磁弁であって、該固定コアの下面に接して配置したパイロット用スプリングを介して該パイロット用移動コアを該主弁用移動コアの上面に付勢し、これに伴う該パイロット用移動コアの下向き付勢力によって該主弁用移動コアを該弁本体の上面に付勢し、該パイロット用移動コアと主弁用移動コアの間に間隙を設け、流入した流体が該間隙の上方へ漏洩を防ぐリングでシールすると共に該主弁用移動コアの側面から流体を流入させる開口部と該主弁用移動コアの軸線に沿って該開口部よりも抵抗が大きい主弁用移動コアオリフィスを設け、これに加えて該主弁用移動コアと該パイロット用移動コアは磁性体材料からなる構成とした。
【０００６】
そしてコイルの電磁作用により該パイロット用移動コアが該パイロット用スプリングに抗して該固定コアに吸引されることにより該間隙が拡大して空間を形成すると共に、該主弁用移動コアオリフィスの流路が開放され、前記空間の圧力が低下し、それと共に該主弁用移動コアが該パイロット用移動コアに吸引され、該主弁用移動コアの弁が開放されることにより、流体が弁本体の流入孔から流出孔へ所定量流れることを特徴とする流量切換電磁弁とした。
【０００７】
また軸線に沿って固定コアと弁本体との間にパイロット用移動コアと主弁用移動コアを設けた電磁弁であって、該固定コアの下面に接して配置した該パイロット用スプリングを介して該パイロット用移動コアを該主弁用移動コアの上面に付勢し、これに伴う該パイロット用移動コアの下向き付勢力によって該主弁用移動コアを該弁本体の上面に付勢すると共に該固定コアの下面に接して配置した主弁用スプリングを介して該主弁用移動コアを該弁本体の上面に付勢し、該パイロット用移動コアと主弁用移動コアの間に間隙を設け、該間隙は上方を流体の漏洩を防ぐリングでシールすると共に該主弁用移動コアの側面から流体を流入させる開口部と該主弁用移動コアの軸線に沿って該開口部よりも流量抵抗が大きい主弁用移動コアオリフィスを設け、これに加えて該主弁用移動コアと該パイロット用移動コアは磁性体材料からなる構成とした。
【０００８】
そしてコイルの電磁作用により該パイロット用移動コアが該パイロット用スプリングに抗して該固定コアに吸引されることにより該間隙が拡大して空間が形成されると共に、該主弁用移動コアオリフィスの流路が開放され、前記空間の圧力が低下し、該主弁用移動コアが該主弁用スプリングに抗して該パイロット用移動コアに吸引され、該主弁用移動コアの弁が開放されることにより、流体が弁本体の流入孔から流出孔へ所定量流れることを特徴とする流量切換電磁弁とした。
【０００９】
さらに上記パイロット用移動コアと上記主弁用移動コアに間隙を設けて上記固定コアと上記パイロット用移動コアに比較して吸引釈放動作における磁束密度或いは残留磁束の影響を減少させることを特徴とする流量切換電磁弁とした。
【００１０】
また上記した流量切換電磁弁において、前記コイルに通電する電圧を段階的に変化させることで、前記パイロット用移動コアのみを軸線に沿って稼動させ、次いで前記パイロット用移動コアが前記固定コアに接している状態で、前記空間の圧力変化に関わらず前記主弁用移動コアを軸線に沿って稼動させることで前記流入孔から前記流出孔への流体流量を変化させることができる流量切換電磁弁とした。即ち、コイルの電磁作用によりパイロット用移動コア稼動後、主弁用移動コアに関してもコイルの電磁作用により稼動できるようにし、弁本体流入孔から流入した流体を弁本体流出孔へ流せるものとした。
【００１１】
即ち、本考案は、コイルの電磁作用により移動コアを電磁弁の軸線方向に沿って稼動させて弁本体流入孔から流入した流体を弁本体流出孔へ流出する電磁弁において、磁性体材料からなる移動コアを分割して一は主弁用移動コアとし、他をパイロット用移動コアとしたものである。さらに主弁用移動コアに軸線に沿ってオリフィスを設け、流出孔へ繋がる弁本体軸線に沿って設けた弁本体オリフィスよりも圧力損失を大きく取っている。かかる構成の電磁弁を、コイルの電磁作用によるパイロット用移動コアの稼動により、弁本体流入孔から流入した流体を弁本体流出孔へ段階的に流せるものとした。
［作用］
【００１２】
本考案の構成の下で、流量切換電磁弁の稼動前でコイルの無通電時においては主弁用移動コアおよびパイロット用移動コアは下方のオリフィスに押し付けられた状態となっているので、流路が閉じられているため、弁本体流入孔から流入した流体は流出孔へ流れることはない。
【００１３】
次にコイルに通電した場合は、コイルの電磁作用により先ずパイロット用移動コアが固定コア側へ吸引動作する。これに伴い弁本体流入孔から流入した流体は主弁用移動コアの側面に設けられた開口部を経由し主弁用移動コアに設けられたより流路抵抗が大きいオリフィスを通過後、弁本体オリフィスを経て弁本体流出孔へ流出する。その際、弁本体流出孔への流体流量は少量しか流れないことになる。
【００１４】
さらにコイルに通電を続けた場合、弁本体流入孔側と弁本体流出孔側の圧力差が小さくなった後、コイルの電磁作用により主弁用移動コアに発生するパイロット用移動コア側への吸引力が主弁用スプリング荷重による電磁弁の下方への付勢力に勝ると、主弁用移動コアはパイロット用移動コアへ吸引動作する。このとき弁本体に設けられたオリフィスが開口することで、弁本体流入孔から流入した流体は主弁用移動コアの側面および下部を通り、弁本体オリフィスを経由して弁本体流出孔へ流れることになる。これにより流量切換電磁弁の流量は最大となる。
【００１５】
再びコイルを無通電状態にした場合、主弁用移動コアの上方への吸引力がなくなり、あわせて主弁用移動コア側面の開口部から流入した流体の圧力により下向き力が作用し、或いは主弁用スプリングの荷重が勝ることにより、主弁用移動コアは電磁弁の下方へ移動し、弁本体に設けられたオリフィスを塞ぐようになる。その後パイロット用移動コアに発生していた固定コア側への残留磁束による吸引力も小さくなり、またパイロット用スプリング荷重によりパイロット用移動コアは下方へ移動し、主弁用移動コアに設けられたオリフィスを塞ぐことになる。これにより弁本体流入孔から流出孔への流路が閉じられる。
【００１６】
またコイル通電状態のとき、コイルの電磁作用によりパイロット用移動コアが固定コア側へ吸引動作し、主弁用移動コアがパイロット用移動コアに吸引動作されている状態となっている際、パイロット用移動コアと固定コアの間は隙間なくパイロット用移動コアと固定コアが接するようにする一方で、パイロット用移動コアと主弁用移動コアの間には間隔を設けてパイロット用移動コアと主弁用移動コアが接しないようにしておくことで、コイルを通電状態から無通電状態とした際、パイロット用移動コアと固定コアにはコイルの電磁作用による残留磁束の影響で吸引力が大であるのに対して、パイロット用移動コアと主弁用移動コアには残留磁束の影響を小さくできるので、主弁用移動コアの方がパイロット用移動コアより先に電磁弁の下方への移動を開始することができるようになる。
【００１７】
そのため、主弁用移動コアが主弁用スプリング荷重により弁本体のオリフィスへ押し付けられる状態となった後にパイロット用移動コアがパイロット用スプリング荷重により主弁用移動コアに設けられたオリフィスへ押し付けられるようになる。
【００１８】
すなわちコイルを通電状態から無通電状態とした際は、先ず主弁用移動コアが下降してきて、その下端が弁本体オリフィス上面に押付けられ、弁本体オリフィスが塞がれるから弁本体流入孔から流入した流体は、弁本体オリフィスを通過することができなくなるため、主弁用移動コアの側面に設けられた開口部および主弁用移動コアに設けられたオリフィスを経由し迂回することになり、主弁用移動コアオリフィスの流体抵抗によって弁本体流出孔への流体流量は少なくなる。その後、パイロット用移動コアが下降してきてその下端が主弁用移動コアの上面に押付けられ主弁用移動コアオリフィスを塞ぐことになると、流体は主弁用移動コアに設けられたオリフィスも通過できなくなる。これにより弁本体流入孔から流入した流体は流出孔へ流れなくなる。
【考案の効果】
【００１９】
本考案は上記の如き構成により、かかる作用を奏するから、弁本体流入孔から弁本体流出孔への流体の流れに関して、電磁弁の電源入り切りの際の急激な流体の流量変化と圧力変化を緩和することができ、電磁弁が取付けられた機器内回路の作動部への衝撃を緩和することができる。
【００２０】
従って医療機器、理美容機器その他の機器の流体を制御する電磁弁において電磁弁の開閉を行う一の移動コアと他の移動コアを設け各々主弁用移動コアとパイロット用移動コアとし、さらに主弁用スプリングとパイロット用スプリングを設け、また主弁用移動コアには弁本体に設けられたオリフィスの開口面積より開口面積が小さいオリフィスを設けることで、電磁弁の開閉時に流体流量を段階的に変化させることができるため、電磁弁の入口側と出口側の急激な流体流量変化および圧力変化を緩和することができ、油圧回路その他の流体を利用した機器の作動部への衝撃を緩和させる効果がある。また本考案の流量切換電磁弁の駆動方法は極めて単純なオン・オフ制御であるので、機器内回路の作動部の衝撃を緩和させる目的で従来から使用されている比例電磁弁を駆動させるような複雑な制御回路は必要としないため駆動回路を開発するコストを削減することができると共に油圧回路その他の流体を利用した機器のコストを低減できる効果がある。
【考案を実施するための最良の形態】
【００２１】
本考案の実施例を図１、図２、図３、図４及び図５に基づいて説明する。
【実施例】
【００２２】
図１は本考案の一実施例を示す流量切換電磁弁の断面図である。図２〜図４は本考案の他の実施例を示す流量切換電磁弁の断面図である。図１、図２は各々電磁弁の閉弁状態を、図３はパイロット用移動コアのみ上昇した開弁状態、図４はパイロット用移動コアおよび主弁用移動コアが上昇した電磁弁の開弁状態を示している。
【００２３】
図１によって本考案の一の実施例である流量切換電磁弁の構成を説明する。電磁弁の弁本体１の上部に電磁ソレノイド９、その内部にコイル8を設け、さらに中心軸上で弁本体１の上部に主弁用移動コア２、パイロット用移動コア５および固定コア７を配設している。固定コア７の下端面にパイロット用スプリング6を備えパイロット用移動コア５を下方に押し下げている。図１に示すように、電磁弁の閉弁状態では固定コア７とパイロット用移動コア５との間に間隙を設けている。
【００２４】
このときパイロット用移動コア５の下端面の中心部付近には突起部を設け主弁用移動コア２の上面に押し付けられ、更に、下向き付勢力により主弁用移動コアが弁本体に押し付けられている。
【００２５】
弁本体１の軸線上には弁本体オリフィス１１が、更にその上の主弁用移動コア２には圧力損失をより大きくした主弁用オリフィス２２が穿たれている。また主弁用移動コア２の側面には一または複数の開口部２１が設けられている。
【００２６】
図１に示すように、パイロット用移動コア５の下端面で主弁用オリフィス２２を塞いでいる中心突起部を除いてその下端面周辺部および側面は主弁用移動コア２との間に間隙を設けている。この間隙は上方を流体の漏洩を防ぐリング３でシールすると共に、主弁用移動コア２の側面からその間隙へ流体を流入させる開口部２１およびその主弁用移動コア２の軸線に沿って上記開口部２１よりも流路抵抗が大きい主弁用移動コアオリフィス２２を設けた。本一の実施例では主弁用移動コア２とパイロット用移動コア５の磁性体材料として磁性ステンレス鋼を使用した。
【００２７】
コイル８に通電すると電磁作用により、パイロット用移動コア５が固定コア７に吸引され、電磁弁が（図示しない）一部開弁状態になる。更にコイル８へ通電を続けると、パイロット用移動コア５と共に主弁用移動コア２も上方へ吸引され、（図示しない）開弁状態になる。
【００２８】
再びコイル８を無通電状態にした場合、主弁用移動コア２の上方への吸引力がなくなり、あわせて主弁用移動コア側面の開口部から流入した流体の圧力により下向き力が作用し、主弁用移動コア２は電磁弁の下方へ移動し、弁本体１に設けられたオリフィスを塞ぐようになる。その後パイロット用移動コア５に発生していた固定コア側への残留磁束による吸引力も減少し、またパイロット用スプリング荷重によりパイロット用移動コア５は下方へ移動し、主弁用移動コア２に設けられたオリフィスを塞ぐことになる。これにより弁本体流入孔から弁本体流出孔への流路が閉じられるので、弁本体流入孔から流入した流体は弁本体流出孔へ流れなくなる。
【００２９】
次に、図２〜図４によって本考案の他の実施例をしめす。図２は流量切換電磁弁としてその構成は上記図１で示す一の実施例とほぼ同様である。しかし固定コア７の下端面にパイロット用スプリング6を備えパイロット用移動コア５を下方に押し下げ、これによって主弁用移動コア２を下方に押し下げていることに加えて、さらに本他の実施例では固定コア７の下端面に主弁用スプリング４を備え主弁用移動コア２を下方に押し下げている点で異なっている。なお主弁用移動コア２とパイロット用移動コア５の磁性体材料として磁性ステンレス鋼を使用した。
【００３０】
図２において、上記の通り主弁用移動コア２は主弁用スプリング４により軸線に沿って電磁弁下方向に付勢されており、主弁用移動コア２の下端面によって弁本体のオリフィス１１の上端部を塞いでいる。またパイロット用移動コア５はパイロット用スプリング６により軸線に沿って電磁弁下方向に付勢されており、パイロット用移動コア５の下端面の中心近傍の突起部により主弁用移動コア２に設けられたオリフィス２２を塞いでいる。なおパイロット用移動コア５の下端面で主弁用オリフィス２２を塞ぐ中心突起部を除いてパイロット用移動コア５の下端面周辺部および側面は主弁用移動コア２との間に間隙を設けている。
【００３１】
矢印は流体が電磁弁に取込まれる方向を示している。弁本体１の流入孔から流入した流体は主弁用移動コア２の側面開口部２１を通りパイロット用移動コア５との間隙に達するが、弁本体１の流出孔への流路が閉じられているので、流れることができない。
【００３２】
図２の流量切換電磁弁において、コイル８に通電すると電磁作用によりパイロット用移動コア５はパイロット用スプリング６の下向き付勢力に抗して固定コア７側に吸引力を受け、軸線に沿って上方へ移動する。これが図３の電磁弁の状態であり、パイロット用移動コア５のみが開弁している状態を示している。なお、主弁用移動コア２は弁本体１に押付けられたままの状態である。図３の矢印は流体の流れる方向を示している。弁本体１の流入孔より流入した流体は主弁用移動コア２の側面に設けられた開口部２１を経由して主弁用移動コア２に設けられたオリフィス２２を通過後、弁本体１のオリフィス１１を経て弁本体１の流出孔へ到達する。この際、主弁用移動コア２に設けられたオリフィス２２の圧力損失を大きく取るために開口面積は小さくしたので、パイロット用移動コア５が開弁したときは流量が絞られた状態であり、弁本体１の流出孔の流体流量は少量である。
【００３３】
上記のように図３における、パイロット用移動コア５が開弁している状態から、さらにコイル８への通電状態を続けると弁本体１の流入孔から流入した流体が主弁用移動コア２の側面に設けられた開口部２１を経由して主弁用移動コア２に設けられたオリフィス２２を通過し、弁本体１のオリフィス１１を経て弁本体１の流出孔へ流れ続けるから、弁本体１の流入孔側と弁本体１の流出孔側の圧力差が小さくなることにより、コイル８の電磁作用により主弁用移動コア２に発生するパイロット用移動コア５側への吸引力が主弁用スプリング４の荷重による電磁弁の下方への付勢力に勝るようになり主弁用移動コア２はパイロット用移動コア５側へ吸引力を受け、軸線に沿って上方へ移動する。この状態が図４に示す電磁弁の開弁状態である。
【００３４】
図４において、弁本体１に設けられたオリフィス１１が開口することで、弁本体１の流入孔から流入した流体は弁本体１のオリフィス１１を経由して弁本体１の流出孔へ流れることになり、弁本体１の流出孔の流体流量は最大となる。
【００３５】
また図４に示すように、パイロット用移動コア５と固定コア７の間は隙間がなくパイロット用移動コア５と固定コア７が近接している一方、パイロット用移動コア５と主弁用移動コア２の間には間隙を設けてパイロット用移動コア５と主弁用移動コア２が接しないようにしておく。
【００３６】
またパイロット用移動コア５に取付けられたリング３はパイロット用移動コア５が主弁用移動コア２の内径に沿って軸線方向の上下方向へ移動できるようにすることと、主弁用移動コア２がリング３の外径に沿って軸線方向へ摺動可能にする役割を担っており、また主弁用移動コア２の上方からの主弁用移動コア２に設けられたオリフィス２２への流体の回り込みを防ぐ役割を担っている。こうすることで、弁本体１の流入孔から流入した流体が主弁用移動コア２の側面に設けられた開口部２１を必ず通過するようにしてあり、コイル８の電磁作用により発生するパイロット用移動コア５と主弁用移動コア２の吸引力の増大を抑制している。
【００３７】
図４の状態から、再びコイル８を無通電状態とした場合は、コイル８の電磁作用による主弁用移動コア２に発生しているパイロット用移動コア５側への吸引力がなくなり、主弁用スプリング４の荷重により主弁用移動コア２は電磁弁の下方へ移動し、弁本体１に設けられたオリフィス１１を塞ぐようになる。またパイロット用移動コア５に発生している固定コア７側への吸引力もなくなり、パイロット用スプリング６の荷重によりパイロット用移動コア５は電磁弁の下方へ移動し、主弁用移動コア２に設けられたオリフィス２２を塞ぐことになり、弁本体１の流入孔から弁本体１の流出孔への流路が閉じられるので、弁本体１の流入孔から流入した流体は弁本体１の流出孔へ流れなくなる。
【００３８】
前記のようにコイル８を無通電状態にするとき、磁性体材料からなる固定コア７、パイロット用移動コア５および主弁用移動コア２には残留磁束（残留磁化）の影響があり相互の吸引力が残ることになる。然るに、前記のように固定コア７とパイロット用移動コア５とは隙間なく両者が接するようにしている一方で、パイロット用移動コア５と主弁用移動コア２の間には間隙を設けていることから、パイロット用移動コア５と主弁用移動コア２には残留磁束の影響を小さくできるので、主弁用移動コア２の方がパイロット用移動コア５より先に電磁弁の下方への移動を開始できるようになる。
【００３９】
従って、弁本体１の流入孔から流入した流体は先ず弁本体１のオリフィス１１を通過することができなくなり、主弁用移動コア２の側面に設けられた開口部２１を通過後、主弁用移動コア２に設けられたオリフィス２２を通過することになるため、弁本体１の流出孔の流体流量は少ない。その後、固定コア７とパイロット用移動コア５の残留磁束の影響が相対的に小さくなるとパイロット用スプリング６の荷重により、パイロット用移動コア５は電磁弁の下方へ移動し、主弁用移動コア２に設けられたオリフィス２２を塞ぐことになり、弁本体１の流入孔から流入した流体は主弁用移動コア２に設けられたオリフィス２２も通過できなくなることで、弁本体１の流入孔から流入した流体は弁本体１の流出孔へ流れなくなる。
【００４０】
また、電磁弁内の吸引釈放動作において、コイル通電状態で、コイル８の電磁作用によりパイロット用移動コア５が固定コア７側へ吸引動作し、主弁用移動コア２がパイロット用移動コア５に吸引動作されている状態となっている際、パイロット用移動コア５と固定コア７の間は隙間なくパイロット用移動コア５と固定コア７が近接するようにする一方で、無通電状態ではパイロット用移動コア５と主弁用移動コア２の間には間隙を設けてパイロット用移動コアと主弁用移動コアが接しないようにしておく。これにより、コイル通電状態または無通電状態において、固定コア７とパイロット用移動コア５間に比べパイロット用移動コア５と主弁用移動コア２の方が磁化に伴う磁束密度の影響又は残留磁束密度の影響をそれぞれ減じることが出来る。従って通電時ではパイロット用移動コア５より遅れて主弁用移動コア２が作動し、また無通電とした時は主弁用移動コア２が先に作動しパイロット用移動コア５が遅れて作動することになる。
【００４１】
また前述の実施例では弁本体１の流入孔側と流出孔側の圧力差が小さくなることで、コイル８の電磁作用により主弁用移動コア２に発生するパイロット用移動コア５側への吸引力が主弁用スプリング４の荷重による電磁弁の下方への付勢力に勝るようになり、主弁用移動コア２はパイロット用移動コア５側へ吸引力を受け、軸線に沿って上方へ移動することで弁本体１のオリフィス１１が開弁するが、本考案の流量切換電磁弁の形態は主弁用移動コア２とパイロット用移動コア５が磁性体材料であり、主弁用スプリング４とパイロット用スプリング６を設けているのでコイル８への通電条件によっては弁本体１の流入孔側と流出孔側の圧力差に関わらず、流量切換電磁弁の開閉を行うこともできる。すなわちコイル８に通電する電圧を段階的に変化させることで、パイロット用移動コア５のみを軸線に沿って稼動させることやパイロット用移動コア５が固定コア７に接している状態で、主弁用移動コア２のみを軸線に沿って稼動させることもできる。コイル８に通電する電圧を段階的に変化させた場合の弁本体１の流出孔側の流体流量の変化を図4に示す。
【図面の簡単な説明】
【００４２】
【図１】本考案の一実施例を示す流量切換電磁弁の閉状態の断面図
【図２】本考案の他の実施例を示す流量切換電磁弁の閉状態の断面図
【図３】本考案の他の実施例を示す流量切換電磁弁の開状態の断面図
【図４】本考案の他の実施例を示す流量切換電磁弁の開状態の断面図
【図５】本考案の流出孔側の流体流量の変化を示す模式図
【符号の説明】
【００４３】
１：弁本体
２：主弁用移動コア
３：リング
４：主弁用スプリング
５：パイロット用移動コア
６：パイロット用スプリング
７：固定コア
８：コイル
９：電磁ソレノイド
１１：弁本体オリフィス
２１：主弁用移動コア側面開口部
２２：主弁用移動コアオリフィス
【図１】
0003151195.tif 000003
【図２】
0003151195.tif 000004
【図３】
0003151195.tif 000005
【図４】
0003151195.tif 000006
【図５】
0003151195.tif 000007